(57)【要約】  実用上、使い勝手のよい組替え可能なベビーベッドを提供する  組立て式の防護柵と、該防護柵内に装架されたベッドボードと、該防護柵の下部に取付けられたキャスターとを備える組替え可能なベビーベッドであって、更に足部材を備え、該足部材が防護柵の下部に取外し可能に取付けられるようになっており、またキャスターが該足部材の下部又は防護柵の下部に取外し可能に取付けられるようにした。
2017163330.tif 000002
【特許請求の範囲】
【請求項１】
組立て式の防護柵と、該防護柵内に装架されたベッドボードと、該防護柵の下部に取付けられたキャスターとを備える組替え可能なベビーベッドであって、更に足部材を備え、該足部材が防護柵の下部に取外し可能に取付けられるようになっており、またキャスターが該足部材の下部又は防護柵の下部に取外し可能に取付けられるようになっていることを特徴とする組替え可能なベビーベッド。
【請求項２】
足部材の上部及びキャスターの上部に取付け用の主差込部材が突設されており、また該足部材の上部には更に位置決め用の副差込部材が突設されていて、足部材の主差込部材及び副差込部材が防護柵の下部に形成された穴部に差込まれるようになっており、またキャスターの主差込部材が該足部材の下部に形成された穴部又は防護柵の下部に形成された穴部に差込まれるようになっている請求項１記載の組替え可能なベビーベッド。
【請求項３】
ノブに設けた凹部に頭部が固定されたボルトと、ベッドボードの端部に設けた凹部に固定されたナットとを備え、ボルトの先端部を防護柵の上下方向に所定間隔で開設された孔を通してナットに螺合し、締め付けることにより、ベッドボードを防護柵に装架するようにした請求項１又は２記載の組替え可能なベビーベッド。
【請求項４】
ベッドボードに、更にすのこが載置された請求項１〜３のいずれか一つの項記載の組替え可能なベビーベッド。
【請求項５】
ベッドボードの下面に、更に引出しが取付けられた請求項１〜４のいずれか一つの項記載の組替え可能なベビーベッド。
【発明の詳細な説明】
【技術分野】
【０００１】
本発明は組替え可能なベビーベッドに関し、更に詳しくは、簡単な作業で、ハイベビーベッド（高さの高いベビーベッド）やローベビーベッド（高さの低いベビーベッド）のようなベビーベッドだけではなく、大人用の机、子供用の机、ベンチ、ソファー、更には防護柵（サークル、プレイペン）等に組替えて使用することができるベビーベッドに関する。
【背景技術】
【０００２】
従来、組替え可能なベビーベッドとして各種が知られている（例えば、特許文献１〜６参照）。これらの組替え可能なベビーベッドは、組立て式の防護柵と、該防護柵内に装架されたベッドボードと、該防護柵の下部に取付けられたキャスターとを備え、ベビーベッドの他に、チャイルドベッド、ミニ机、ベンチ、サークル等に組替えて使用することができるようになっている。【０００３】
しかし、これら従来の組替え可能なベビーベッドには、組替えて使用することはできるものの、実際のところ、使い勝手が悪いという問題がある。従来の組替え可能なベビーベッドでは、設置面から防護柵の上部までの高さ調節が殆どできないため、ハイベビーベッド、ローベビーベッド、大人用の机、子供用の机、ベンチ、ソファー、サークル等、色々な形態に組替えて使用するときに無理が生じるのである。例えば、ベビーベッドとして使用するときは、安全上、ベッドボードから防護柵の上部までに一定の高さが必要であることに加えて、子供用の机として使用するときと大人用の机として使用するときとは、机の板となるベッドボードの位置はかなり異なるため、そのような位置にベッドボードを装架する防護柵は相応に高さの高いものを用いることになるが、ベッドボードを取外してかかる防護柵をサークルとして使用しようとすると、高さが高過ぎるため、かかる防護柵越しに乳幼児を抱き抱えてサークル内へ入れたり、サークル外へ出したりする作業が誠に厄介なのである。
【先行技術文献】
【特許文献】
【０００４】
【特許文献１】特開平８−２４２９７９号公報
【特許文献２】特開平１１−９４０２号公報
【特許文献３】特開平１１−４２１４８号公報
【特許文献４】特開２００２−１５９３８０号公報
【特許文献５】特開２００４−３３４６２号公報
【特許文献６】特開２０１５−１５９９６３号公報
【発明の概要】
【発明が解決しようとする課題】
【０００５】
本発明が解決しようとする課題は、実用上、使い勝手のよい組替え可能なベビーベッドを提供するところにある。
【課題を解決するための手段】
【０００６】
前記の課題を解決する本発明は、組立て式の防護柵と、該防護柵内に装架されたベッドボードと、該防護柵の下部に取付けられたキャスターとを備える組替え可能なベビーベッドであって、更に足部材を備え、該足部材が防護柵の下部に取外し可能に取付けられるようになっており、またキャスターが該足部材の下部又は防護柵の下部に取外し可能に取付けられるようになっていることを特徴とする組替え可能なベビーベッドに係る。【０００７】
本発明に係る組替え可能なベビーベッドは、組立式の防護柵と、該防護柵内に装架されたベッドボードと、該防護柵の下部に取付けられたキャスターとを備えている。防護柵は組立式になっており、上下の横フレームと、上下の横フレーム間に所定間隔で渡された複数の縦フレームと、横フレーム相互を接続するジョイントとを備え、通常は平面から見て長方形に組立てられている。防護柵それ自体は、従来の組替え可能なベビーベッドでも同様の構成になっている。【０００８】
ベッドボードは防護柵内に装架されている。ベッドボードは通常、平面から見て長方形の平板状となっており、短辺の端部において防護柵の縦フレームに装架されている。装架手段は、防護柵の縦フレームに取付けられたストッパー部材に載置する手段、引っ掛ける手段、嵌合する手段、ネジ止めする手段等、任意であるが、ネジ止めする手段が好ましい。なかでも、ノブに設けた凹部に頭部が固定されたボルトと、ベッドボードの短辺の端部に設けた凹部に固定されたナットとを備え、ボルトの先端部を防護柵の縦フレームに上下方向に所定間隔で開設された孔を通してナットに螺合し、締め付けることにより、ベッドボードを防護柵に装架するようにしたものが好ましい。【０００９】
本発明に係る組替え可能なベビーベッドは、以上説明したような防護柵やベッドボードの他に、キャスターと足部材とを備えている。足部材は通常、防護柵の下側の横フレームの下部に取外し可能に取付けられており、キャスターは通常、かかる足部材の下部に取外し可能に取付けられているが、足部材を取除いたときは、前記した足部材の場合と同様に、防護柵の下側の横フレームの下部に取外し可能に取付けられるようになっている。【００１０】
足部材やキャスターの取付け手段は、足部材やキャスターを防護柵の下側の横フレームの下部にクランプ止めする手段、足部材やキャスターから突設された差込部材を防護柵の下側の横フレームの下部に設けられた凹部にネジ止めする手段や差込む手段等、任意であるが、作業の便宜上、差込む手段が好ましい。なかでも、足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材がかかる足部材の下部に形成された穴部に差込まれるようになっていると共に、前記した足部材の場合と同様に、防護柵の下側の横フレームの下部に形成された穴部にも差込まれるようになっているものが好ましい。【００１１】
本発明に係る組替え可能なベビーベッドは、足部材及びキャスターを備え、それらが取外し可能になっているため、足部材の高さ分だけ、またキャスターの高さ分だけ、更には足部材及びキャスターの高さ分だけ、設置面から防護柵の上部までの高さ調節ができるので、ハイベビーベッド、ローベビーベッド、大人用の机、子供用の机、ベンチ、ソファー、サークル等、色々な形態に組替えて使用するときに無理が生じない。本発明に係る組替え可能なベビーベッドは、実用上、使い勝手が誠によいのである。【００１２】
本発明に係る組替え可能なベビーベッドは、以上説明したように、防護柵と、ベッドボードと、足部材と、キャスターとを備えているが、更にすのこを備えるものが好ましい。そのこはベッドボードに載置されるようになっている。かかるすのこは、その上にマットレスやクッション材を載置し、ベビーベッドとして使用するとき、通気性が得られるため、マットレスやクッション材が蒸れない。【００１３】
ベッドボードの下面には、引き出しを取付けるのが好ましい。例えば、ベッドボードの下面に、その短辺に沿い両端部及び中央部から支持部材を設け、これらの支持部材で挟持されるようにスライドレールを介して引き出しを取付ける。かかる引き出しは、色々な小物を収納しておくのに便利である。
【発明の効果】
【００１４】
本発明に係る組替え可能なベビーベッドには、ハイベビーベッド、ローベビーベッド、大人用の机、子供用の机、ベンチ、ソファー、サークル等、色々な形態に組替えて使用するとき、実用上、使い勝手が誠よいという効果がある。
【図面の簡単な説明】
【００１５】
【図１】本発明に係る組替え可能なベビーベッド（ハイベビーベッド）を例示する斜視図。
【図２】図１のベビーベッド（ハイベビーベッド）を他の形態（ローベビーベッド）に組替えた状態を示す斜視図。
【図３】図１のベビーベッド（ハイベビーベッド）を他の形態（大人用の机）に組替えた状態を示す斜視図。
【図４】図１のベビーベッド（ハイベビーベッド）を他の形態（子供用の机）に組替えた状態を示す斜視図。
【図５】図１のベビーベッド（ハイベビーベッド）を他の形態（サークル）に組替えた状態を示す斜視図。
【図６】図１のベビーベッドにおけるコーナー部の足部材を示す斜視図。
【図７】図６の足部材を示す側面図。
【図８】図１のベビーベッドにおける中間部の足部材を示す斜視図。
【図９】図８の足部材を示す側面図。
【図１０】図１のベビーベッドにおけるキャスターを示す斜視図。
【図１１】図１のベビーベッドにおける防護柵へのベッドボードの取付け状態を示す部分拡大縦断面図。
【図１２】図１のベビーベッドにおけるベッドボードへの引き出しの取付け状態を示す部分拡大縦断面図。
【実施例】
【００１６】
図１に例示した組替え可能なベビーベッド（ハイベビーベッド）は、組立式の防護柵１１と、防護柵１１内に装架されたベッドボード２１と、防護柵１１の下部に取付けられたキャスター３１とを備えている。防護柵１１は組立式になっており、上下の横フレーム１２，１３と、上下の横フレーム１２，１３間に所定間隔で渡された複数の縦フレーム１４と、上側の横フレーム１２，１２相互及び下側の横フレーム１３，１３相互を接続するジョイント１５とを備え、平面から見て長方形に組立てられている。防護柵１１それ自体は、従来の組替え可能なベビーベッドでも同様の構成になっている。【００１７】
図１のハイベビーベッドにおいて、ベッドボード２１は防護柵１１内に装架されている。ベッドボード２１は平面から見て長方形の平板状となっており、短辺の端部において防護柵１１の縦フレーム１４に装架されている。具体的には、図１１に示すように、ノブ４１に設けた凹部４２に頭部４３が固定されたボルト４４と、ベッドボード２１の短辺の端部に設けた凹部４５に固定されたナット４６とを備え、ボルト４４の先端部を防護柵の縦フレーム１４に上下方向に所定間隔で開設された孔４７を通してナット４６に螺合し、締め付けることにより、ベッドボード２１を防護柵１１に装架している。【００１８】
図１のハイベビーベッドは、防護柵１１やベッドボード２１の他に、キャスター３１と足部材５１，５２とを備えている。図１のハイベビーベッドにおいて、コーナー部の足部材５１及び中間部の足部材５２は防護柵１１の下側の横フレーム１３の下部に取外し可能に取付けられており、キャスター３１はかかる足部材５１，５２の下部に取外し可能に取付けられている。具体的には、図６〜図１０に示すように、足部材５１，５２の上部及びキャスター３１の上部に取付け用の主差込部材５１ａ，５２ａ，３１ａが突設されており、また足部材５１，５２の上部には更に位置決め用の副差込部材５１ｂ，５２ｂ，５２ｃが突設されていて、足部材５１，５２の主差込部材５１ａ，５２ａ及び副差込部材５１ｂ，５２ｂ，５２ｃが防護柵１１の下側の横フレーム１３の下部に形成された図示しない穴部に差込まれるようになっており、またキャスター３１の主差込部材３１ａがかかる足部材５１，５２の下部に形成された穴部５１ｄ，５２ｄに差込まれるようになっていると共に、前記した足部材５１，５２の場合と同様に防護柵の下側の横フレーム１３の下部に形成された図示しない穴部にも差込まれるようになっている。【００１９】
図２は図１のハイベビーベッドから足部材５１，５２を取外した状態のローベビーベッドを示している。図２のローベビーベッドは、図１のハイベビーベッドよりも足部材５１，５２を除いた分だけ高さの低いローベビーベッドとなっている。足部材５１，５２を除き、図１と同じ符号を用いているので、これ以上の説明を省略する。【００２０】
図３は図１のハイベビーベッドから防護柵１１の前面及びキャスター３１を取外す一方で、ベッドボード２１の装架位置を上方に移動し、かかるベッドボード２１の下面に引き出し６１，６２を取付けた状態の大人用の机を示している。図３の大人用の机は、図１のハイベビーベッドからキャスター３１を取除いているので設置状態が安定し、机板として用いるベッドボード２１を防護柵１１の上部に装架すると共にベッドボード２１の下面に引き出し６１，６２を取付けているので使い勝手のよい大人用の机となっている。キャスター３１を除き、図１と同じ符号を用いているので、これ以上の説明を省略するが、引き出し６１，６２は、図１２に示すように、ベッドボード２１の下面に、その短辺に沿い両端部及び中央部から支持部材６３，６４，６５を垂設し、これらの支持部材６３，６４，６５で挟持されるようにスライドレール６６〜６９を介して取付けられている。【００２１】
図４は図１のハイベビーベッドから防護柵１１の前面及びキャスター３１を取外した状態の子供用の机を示している。図４の子供用の机は、図１のハイベビーベッドからキャスター３１を取除いているので設置状態が安定し、使い勝手のよい子供用の机となっている。キャスター３１を除き、図１と同じ符号等を用いているので、これ以上の説明を省略するが、図４の子供用の机はそのままベンチとしても使用でき、またベッドボード２１にクッション材を載置することによりソファーとしても使用できる。【００２２】
図５は図１のハイベビーベッドからベッドボード２１、足部材５１，５２及びキャスター１３を取外した状態の防護柵１１（サークル）を示している。図５のサークルは、図１のハイベビーベッドよりも足部材５１，５２及びキャスター３１を除いた分だけ高さの低い、したがって使い勝手のよいサークルとなっている。ベッドボード２１、足部材５１，５２及びキャスター３１を除き、図１と同じ符号を用いているので、これ以上の説明を省略する。【００２３】
説明を省略したが、図１のハイベビーベッド及び図２のローベビーベッドでは、ベッドボード２１にすのこ７１が載置されている。すのこ７１は、その上にマットレスやクッション材を載置してベビーベッドとして使用するときに、通気性が得られるため、使い勝手がよい。【００２４】
図示した組替え可能なベビーベッドは、ハイベビーベッド、ローベビーベッド、大人用の机、子供用の机、ベンチ、ソファー、サークル等、色々な形態に組替えて使用するとき、実用上、使い勝手が誠によいのである。
【符号の説明】
【００２５】
１１                      防護柵
１２                      上側の横フレーム
１３                      下側の横フレーム
１４                      縦フレーム
１５                      ジョイント
２１                      ベッドボード
３１                      キャスター
４１                      ノブ
４４                      ボルト
４６                      ナット
５１，５２                足部材
３１ａ，５１ａ，５２ａ    主差込部材
５１ｂ，５２ｂ，５２ｃ    副差込部材
６１，６２                引き出し
６６〜６９                スライドレール
７１                      すのこ
【図１】
2017163330.tif 000003
【図２】
2017163330.tif 000004
【図３】
2017163330.tif 000005
【図４】
2017163330.tif 000006
【図５】
2017163330.tif 000007
【図６】
2017163330.tif 000008
【図７】
2017163330.tif 000009
【図８】
2017163330.tif 000010
【図９】
2017163330.tif 000011
【図１０】
2017163330.tif 000012
【図１１】
2017163330.tif 000013
【図１２】
2017163330.tif 000014
【手続補正書】
【提出日】平成28年6月14日(2016.6.14)
【手続補正１】
【補正対象書類名】明細書
【補正対象項目名】全文
【補正方法】変更
【補正の内容】
【発明の詳細な説明】
【技術分野】
【０００１】
本発明は組替え可能なベビーベッドに関し、更に詳しくは、簡単な作業で、ハイベビーベッド（高さの高いベビーベッド）やローベビーベッド（高さの低いベビーベッド）のようなベビーベッドだけではなく、大人用の机、子供用の机、ベンチ、ソファー、更には防護柵（サークル、プレイペン）等に組替えて使用することができるベビーベッドに関する。
【背景技術】
【０００２】
従来、組替え可能なベビーベッドとして各種が知られている（例えば、特許文献１〜６参照）。これらの組替え可能なベビーベッドは、組立て式の防護柵と、該防護柵内に装架されたベッドボードと、該防護柵の下部に取付けられたキャスターとを備え、ベビーベッドの他に、チャイルドベッド、ミニ机、ベンチ、サークル等に組替えて使用することができるようになっている。
【０００３】
しかし、これら従来の組替え可能なベビーベッドには、組替えて使用することはできるものの、実際のところ、使い勝手が悪いという問題がある。従来の組替え可能なベビーベッドでは、設置面から防護柵の上部までの高さ調節が殆どできないため、ハイベビーベッド、ローベビーベッド、大人用の机、子供用の机、ベンチ、ソファー、サークル等、色々な形態に組替えて使用するときに無理が生じるのである。例えば、ベビーベッドとして使用するときは、安全上、ベッドボードから防護柵の上部までに一定の高さが必要であることに加えて、子供用の机として使用するときと大人用の机として使用するときとは、机の板となるベッドボードの位置はかなり異なるため、そのような位置にベッドボードを装架する防護柵は相応に高さの高いものを用いることになるが、ベッドボードを取外してかかる防護柵をサークルとして使用しようとすると、高さが高過ぎるため、かかる防護柵越しに乳幼児を抱き抱えてサークル内へ入れたり、サークル外へ出したりする作業が誠に厄介なのである。
【先行技術文献】
【特許文献】
【０００４】
【特許文献１】特開平８−２４２９７９号公報
【特許文献２】特開平１１−９４０２号公報
【特許文献３】特開平１１−４２１４８号公報
【特許文献４】特開２００２−１５９３８０号公報
【特許文献５】特開２００４−３３４６２号公報
【特許文献６】特開２０１５−１５９９６３号公報
【発明の概要】
【発明が解決しようとする課題】
【０００５】
本発明が解決しようとする課題は、実用上、使い勝手のよい組替え可能なベビーベッドを提供するところにある。
【課題を解決するための手段】
【０００６】
前記の課題を解決する本発明は、組立て式の防護柵と、該防護柵内に装架されたベッドボードと、該防護柵の下部に取付けられたキャスターとを備える組替え可能なベビーベッドであって、更に足部材を備え、また該防護柵は上下の横フレームと該上下の横フレーム間に所定間隔で渡された複数の縦フレームと該横フレーム相互を接続するジョイントとを備えていて、該足部材は該防護柵の下側の横フレームの下部に取外し可能に取付けられるようになっており、またキャスターは該足部材の下部又は該防護柵の下側の横フレームの下部に取外し可能に取付けられるようになっていて、該足部材の高さ分だけ、また該キャスターの高さ分だけ、更には該足部材及びキャスターの高さ分だけ、設置面から該防護柵の上部までの高さが調節できるようにして成ることを特徴とする組替え可能なベビーベッドに係る。
【０００７】
本発明に係る組替え可能なベビーベッドは、組立式の防護柵と、該防護柵内に装架されたベッドボードと、該防護柵の下部に取付けられたキャスターとを備えている。防護柵は組立式になっており、上下の横フレームと、上下の横フレーム間に所定間隔で渡された複数の縦フレームと、横フレーム相互を接続するジョイントとを備え、通常は平面から見て長方形に組立てられている。
【０００８】
ベッドボードは防護柵内に装架されている。ベッドボードは通常、平面から見て長方形の平板状となっており、短辺の端部において防護柵の縦フレームに装架されている。装架手段は、防護柵の縦フレームに取付けられたストッパー部材に載置する手段、引っ掛ける手段、嵌合する手段、ネジ止めする手段等、任意であるが、ネジ止めする手段が好ましい。なかでも、ノブに設けた凹部に頭部が固定されたボルトと、ベッドボードの短辺の端部に設けた凹部に固定されたナットとを備え、ボルトの先端部を防護柵の縦フレームに上下方向に所定間隔で開設された孔を通してナットに螺合し、締め付けることにより、ベッドボードを防護柵に装架するようにしたものが好ましい。
【０００９】
本発明に係る組替え可能なベビーベッドは、以上説明したような防護柵やベッドボードの他に、キャスターと足部材とを備えている。足部材は防護柵の下側の横フレームの下部に取外し可能に取付けられており、キャスターはかかる足部材の下部に取外し可能に取付けられているが、足部材を取除いたときは、前記した足部材の場合と同様に、防護柵の下側の横フレームの下部に取外し可能に取付けられるようになっている。
【００１０】
足部材やキャスターの取付け手段は、足部材やキャスターを防護柵の下側の横フレームの下部にクランプ止めする手段、足部材やキャスターから突設された差込部材を防護柵の下側の横フレームの下部に設けられた凹部にネジ止めする手段や差込む手段等、任意であるが、作業の便宜上、差込む手段が好ましい。なかでも、足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材がかかる足部材の下部に形成された穴部に差込まれるようになっていると共に、前記した足部材の場合と同様に、防護柵の下側の横フレームの下部に形成された穴部にも差込まれるようになっているものが好ましい。
【００１１】
本発明に係る組替え可能なベビーベッドは、足部材及びキャスターを備え、それらが取外し可能になっているため、足部材の高さ分だけ、またキャスターの高さ分だけ、更には足部材及びキャスターの高さ分だけ、設置面から防護柵の上部までの高さ調節ができるので、ハイベビーベッド、ローベビーベッド、大人用の机、子供用の机、ベンチ、ソファー、サークル等、色々な形態に組替えて使用するときに無理が生じない。本発明に係る組替え可能なベビーベッドは、実用上、使い勝手が誠によいのである。
【００１２】
本発明に係る組替え可能なベビーベッドは、以上説明したように、防護柵と、ベッドボードと、足部材と、キャスターとを備えているが、更にすのこを備えるものが好ましい。そのこはベッドボードに載置されるようになっている。かかるすのこは、その上にマットレスやクッション材を載置し、ベビーベッドとして使用するとき、通気性が得られるため、マットレスやクッション材が蒸れない。
【００１３】
ベッドボードの下面には、引き出しを取付けるのが好ましい。例えば、ベッドボードの下面に、その短辺に沿い両端部及び中央部から支持部材を設け、これらの支持部材で挟持されるようにスライドレールを介して引き出しを取付ける。かかる引き出しは、色々な小物を収納しておくのに便利である。
【発明の効果】
【００１４】
本発明に係る組替え可能なベビーベッドには、ハイベビーベッド、ローベビーベッド、大人用の机、子供用の机、ベンチ、ソファー、サークル等、色々な形態に組替えて使用するとき、実用上、使い勝手が誠よいという効果がある。
【図面の簡単な説明】
【００１５】
【図１】本発明に係る組替え可能なベビーベッド（ハイベビーベッド）を例示する斜視図。
【図２】図１のベビーベッド（ハイベビーベッド）を他の形態（ローベビーベッド）に組替えた状態を示す斜視図。
【図３】図１のベビーベッド（ハイベビーベッド）を他の形態（大人用の机）に組替えた状態を示す斜視図。
【図４】図１のベビーベッド（ハイベビーベッド）を他の形態（子供用の机）に組替えた状態を示す斜視図。
【図５】図１のベビーベッド（ハイベビーベッド）を他の形態（サークル）に組替えた状態を示す斜視図。
【図６】図１のベビーベッドにおけるコーナー部の足部材を示す斜視図。
【図７】図６の足部材を示す側面図。
【図８】図１のベビーベッドにおける中間部の足部材を示す斜視図。
【図９】図８の足部材を示す側面図。
【図１０】図１のベビーベッドにおけるキャスターを示す斜視図。
【図１１】図１のベビーベッドにおける防護柵へのベッドボードの取付け状態を示す部分拡大縦断面図。
【図１２】図１のベビーベッドにおけるベッドボードへの引き出しの取付け状態を示す部分拡大縦断面図。
【実施例】
【００１６】
図１に例示した組替え可能なベビーベッド（ハイベビーベッド）は、組立式の防護柵１１と、防護柵１１内に装架されたベッドボード２１と、防護柵１１の下部に取付けられたキャスター３１とを備えている。防護柵１１は組立式になっており、上下の横フレーム１２，１３と、上下の横フレーム１２，１３間に所定間隔で渡された複数の縦フレーム１４と、上側の横フレーム１２，１２相互及び下側の横フレーム１３，１３相互を接続するジョイント１５とを備え、平面から見て長方形に組立てられている。
【００１７】
図１のハイベビーベッドにおいて、ベッドボード２１は防護柵１１内に装架されている。ベッドボード２１は平面から見て長方形の平板状となっており、短辺の端部において防護柵１１の縦フレーム１４に装架されている。具体的には、図１１に示すように、ノブ４１に設けた凹部４２に頭部４３が固定されたボルト４４と、ベッドボード２１の短辺の端部に設けた凹部４５に固定されたナット４６とを備え、ボルト４４の先端部を防護柵の縦フレーム１４に上下方向に所定間隔で開設された孔４７を通してナット４６に螺合し、締め付けることにより、ベッドボード２１を防護柵１１に装架している。
【００１８】
図１のハイベビーベッドは、防護柵１１やベッドボード２１の他に、キャスター３１と足部材５１，５２とを備えている。図１のハイベビーベッドにおいて、コーナー部の足部材５１及び中間部の足部材５２は防護柵１１の下側の横フレーム１３の下部に取外し可能に取付けられており、キャスター３１はかかる足部材５１，５２の下部に取外し可能に取付けられている。具体的には、図６〜図１０に示すように、足部材５１，５２の上部及びキャスター３１の上部に取付け用の主差込部材５１ａ，５２ａ，３１ａが突設されており、また足部材５１，５２の上部には更に位置決め用の副差込部材５１ｂ，５２ｂ，５２ｃが突設されていて、足部材５１，５２の主差込部材５１ａ，５２ａ及び副差込部材５１ｂ，５２ｂ，５２ｃが防護柵１１の下側の横フレーム１３の下部に形成された図示しない穴部に差込まれるようになっており、またキャスター３１の主差込部材３１ａがかかる足部材５１，５２の下部に形成された穴部５１ｄ，５２ｄに差込まれるようになっていると共に、前記した足部材５１，５２の場合と同様に防護柵の下側の横フレーム１３の下部に形成された図示しない穴部にも差込まれるようになっている。
【００１９】
図２は図１のハイベビーベッドから足部材５１，５２を取外した状態のローベビーベッドを示している。図２のローベビーベッドは、図１のハイベビーベッドよりも足部材５１，５２を除いた分だけ高さの低いローベビーベッドとなっている。足部材５１，５２を除き、図１と同じ符号を用いているので、これ以上の説明を省略する。
【００２０】
図３は図１のハイベビーベッドから防護柵１１の前面及びキャスター３１を取外す一方で、ベッドボード２１の装架位置を上方に移動し、かかるベッドボード２１の下面に引き出し６１，６２を取付けた状態の大人用の机を示している。図３の大人用の机は、図１のハイベビーベッドからキャスター３１を取除いているので設置状態が安定し、机板として用いるベッドボード２１を防護柵１１の上部に装架すると共にベッドボード２１の下面に引き出し６１，６２を取付けているので使い勝手のよい大人用の机となっている。キャスター３１を除き、図１と同じ符号を用いているので、これ以上の説明を省略するが、引き出し６１，６２は、図１２に示すように、ベッドボード２１の下面に、その短辺に沿い両端部及び中央部から支持部材６３，６４，６５を垂設し、これらの支持部材６３，６４，６５で挟持されるようにスライドレール６６〜６９を介して取付けられている。
【００２１】
図４は図１のハイベビーベッドから防護柵１１の前面及びキャスター３１を取外した状態の子供用の机を示している。図４の子供用の机は、図１のハイベビーベッドからキャスター３１を取除いているので設置状態が安定し、使い勝手のよい子供用の机となっている。キャスター３１を除き、図１と同じ符号等を用いているので、これ以上の説明を省略するが、図４の子供用の机はそのままベンチとしても使用でき、またベッドボード２１にクッション材を載置することによりソファーとしても使用できる。
【００２２】
図５は図１のハイベビーベッドからベッドボード２１、足部材５１，５２及びキャスター１３を取外した状態の防護柵１１（サークル）を示している。図５のサークルは、図１のハイベビーベッドよりも足部材５１，５２及びキャスター３１を除いた分だけ高さの低い、したがって使い勝手のよいサークルとなっている。ベッドボード２１、足部材５１，５２及びキャスター３１を除き、図１と同じ符号を用いているので、これ以上の説明を省略する。
【００２３】
説明を省略したが、図１のハイベビーベッド及び図２のローベビーベッドでは、ベッドボード２１にすのこ７１が載置されている。すのこ７１は、その上にマットレスやクッション材を載置してベビーベッドとして使用するときに、通気性が得られるため、使い勝手がよい。
【００２４】
図示した組替え可能なベビーベッドは、ハイベビーベッド、ローベビーベッド、大人用の机、子供用の机、ベンチ、ソファー、サークル等、色々な形態に組替えて使用するとき、実用上、使い勝手が誠によいのである。
【符号の説明】
【００２５】
１１                      防護柵
１２                      上側の横フレーム
１３                      下側の横フレーム
１４                      縦フレーム
１５                      ジョイント
２１                      ベッドボード
３１                      キャスター
４１                      ノブ
４４                      ボルト
４６                      ナット
５１，５２                足部材
３１ａ，５１ａ，５２ａ    主差込部材
５１ｂ，５２ｂ，５２ｃ    副差込部材
６１，６２                引き出し
６６〜６９                スライドレール
７１                      すのこ
【手続補正２】
【補正対象書類名】特許請求の範囲
【補正対象項目名】全文
【補正方法】変更
【補正の内容】
【特許請求の範囲】
【請求項１】
組立て式の防護柵と、該防護柵内に装架されたベッドボードと、該防護柵の下部に取付けられたキャスターとを備える組替え可能なベビーベッドであって、更に足部材を備え、また該防護柵は上下の横フレームと該上下の横フレーム間に所定間隔で渡された複数の縦フレームと該横フレーム相互を接続するジョイントとを備えていて、該足部材は該防護柵の下側の横フレームの下部に取外し可能に取付けられるようになっており、またキャスターは該足部材の下部又は該防護柵の下側の横フレームの下部に取外し可能に取付けられるようになっていて、該足部材の高さ分だけ、また該キャスターの高さ分だけ、更には該足部材及びキャスターの高さ分だけ、設置面から該防護柵の上部までの高さが調節できるようにして成ることを特徴とする組替え可能なベビーベッド。
【請求項２】
足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材が該足部材の下部に形成された穴部又は該防護柵の下側の横フレームの下部に形成された穴部に差込まれるようになっている請求項１記載の組替え可能なベビーベッド。
【請求項３】
ノブに設けた凹部に頭部が固定されたボルトと、ベッドボードの端部に設けた凹部に固定されたナットとを備え、ボルトの先端部を防護柵の上下方向に所定間隔で開設された孔を通してナットに螺合し、締め付けることにより、ベッドボードを防護柵に装架するようにした請求項１又は２記載の組替え可能なベビーベッド。
【請求項４】
ベッドボードに、更にすのこが載置された請求項１〜３のいずれか一つの項記載の組替え可能なベビーベッド。
【請求項５】
ベッドボードの下面に、更に引出しが取付けられた請求項１〜４のいずれか一つの項記載の組替え可能なベビーベッド。
【手続補正書】
【提出日】平成28年9月15日(2016.9.15)
【手続補正１】
【補正対象書類名】明細書
【補正対象項目名】全文
【補正方法】変更
【補正の内容】
【発明の詳細な説明】
【技術分野】
【０００１】
本発明は組替え可能なベビーベッドに関し、更に詳しくは、簡単な作業で、ハイベビーベッド（高さの高いベビーベッド）やローベビーベッド（高さの低いベビーベッド）のようなベビーベッドだけではなく、大人用の机、子供用の机、ベンチ、ソファー、更には防護柵（サークル、プレイペン）等に組替えて使用することができるベビーベッドに関する。
【背景技術】
【０００２】
従来、組替え可能なベビーベッドとして各種が知られている（例えば、特許文献１〜６参照）。これらの組替え可能なベビーベッドは、組立て式の防護柵と、該防護柵内に装架されたベッドボードと、該防護柵の下部に取付けられたキャスターとを備え、ベビーベッドの他に、チャイルドベッド、ミニ机、ベンチ、サークル等に組替えて使用することができるようになっている。
【０００３】
しかし、これら従来の組替え可能なベビーベッドには、組替えて使用することはできるものの、実際のところ、使い勝手が悪いという問題がある。従来の組替え可能なベビーベッドでは、設置面から防護柵の上部までの高さ調節が殆どできないため、ハイベビーベッド、ローベビーベッド、大人用の机、子供用の机、ベンチ、ソファー、サークル等、色々な形態に組替えて使用するときに無理が生じるのである。例えば、ベビーベッドとして使用するときは、安全上、ベッドボードから防護柵の上部までに一定の高さが必要であることに加えて、子供用の机として使用するときと大人用の机として使用するときとは、机の板となるベッドボードの位置はかなり異なるため、そのような位置にベッドボードを装架する防護柵は相応に高さの高いものを用いることになるが、ベッドボードを取外してかかる防護柵をサークルとして使用しようとすると、高さが高過ぎるため、かかる防護柵越しに乳幼児を抱き抱えてサークル内へ入れたり、サークル外へ出したりする作業が誠に厄介なのである。
【先行技術文献】
【特許文献】
【０００４】
【特許文献１】特開平８−２４２９７９号公報
【特許文献２】特開平１１−９４０２号公報
【特許文献３】特開平１１−４２１４８号公報
【特許文献４】特開２００２−１５９３８０号公報
【特許文献５】特開２００４−３３４６２号公報
【特許文献６】特開２０１５−１５９９６３号公報
【発明の概要】
【発明が解決しようとする課題】
【０００５】
本発明が解決しようとする課題は、実用上、使い勝手のよい組替え可能なベビーベッドを提供するところにある。
【課題を解決するための手段】
【０００６】
前記の課題を解決する本発明は、組立て式の防護柵と、該防護柵内に装架されたベッドボードと、該防護柵の下部に取付けられたキャスターとを備える組替え可能なベビーベッドであって、更にすのこと足部材を備え、該すのこは該ベッドボードに載置されており、また該防護柵は上下の横フレームと該上下の横フレーム間に所定間隔で渡された複数の縦フレームと該横フレーム相互を接続するジョイントとを備えていて、該足部材は該防護柵の下側の横フレームの下部に取外し可能に取付けられるようになっており、またキャスターは該足部材の下部又は該防護柵の下側の横フレームの下部に取外し可能に取付けられるようになっていて、該足部材の高さ分だけ、また該キャスターの高さ分だけ、更には該足部材及びキャスターの高さ分だけ、設置面から該防護柵の上部までの高さが調節できるようにして成ることを特徴とする組替え可能なベビーベッドに係る。
【０００７】
本発明に係る組替え可能なベビーベッドは、組立式の防護柵と、該防護柵内に装架されたベッドボードと、該防護柵の下部に取付けられたキャスターとを備えている。防護柵は組立式になっており、上下の横フレームと、上下の横フレーム間に所定間隔で渡された複数の縦フレームと、横フレーム相互を接続するジョイントとを備え、通常は平面から見て長方形に組立てられている。
【０００８】
ベッドボードは防護柵内に装架されている。ベッドボードは通常、平面から見て長方形の平板状となっており、短辺の端部において防護柵の縦フレームに装架されている。装架手段は、防護柵の縦フレームに取付けられたストッパー部材に載置する手段、引っ掛ける手段、嵌合する手段、ネジ止めする手段等、任意であるが、ネジ止めする手段が好ましい。なかでも、ノブに設けた凹部に頭部が固定されたボルトと、ベッドボードの短辺の端部に設けた凹部に固定されたナットとを備え、ボルトの先端部を防護柵の縦フレームに上下方向に所定間隔で開設された孔を通してナットに螺合し、締め付けることにより、ベッドボードを防護柵に装架するようにしたものが好ましい。
【０００９】
本発明に係る組替え可能なベビーベッドは、以上説明したような防護柵やベッドボードの他に、キャスターと足部材とを備えている。足部材は防護柵の下側の横フレームの下部に取外し可能に取付けられており、キャスターはかかる足部材の下部に取外し可能に取付けられているが、足部材を取除いたときは、前記した足部材の場合と同様に、防護柵の下側の横フレームの下部に取外し可能に取付けられるようになっている。
【００１０】
足部材やキャスターの取付け手段は、足部材やキャスターを防護柵の下側の横フレームの下部にクランプ止めする手段、足部材やキャスターから突設された差込部材を防護柵の下側の横フレームの下部に設けられた凹部にネジ止めする手段や差込む手段等、任意であるが、作業の便宜上、差込む手段が好ましい。なかでも、足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材がかかる足部材の下部に形成された穴部に差込まれるようになっていると共に、前記した足部材の場合と同様に、防護柵の下側の横フレームの下部に形成された穴部にも差込まれるようになっているものが好ましい。
【００１１】
本発明に係る組替え可能なベビーベッドは、足部材及びキャスターを備え、それらが取外し可能になっているため、足部材の高さ分だけ、またキャスターの高さ分だけ、更には足部材及びキャスターの高さ分だけ、設置面から防護柵の上部までの高さ調節ができるので、ハイベビーベッド、ローベビーベッド、大人用の机、子供用の机、ベンチ、ソファー、サークル等、色々な形態に組替えて使用するときに無理が生じない。本発明に係る組替え可能なベビーベッドは、実用上、使い勝手が誠によいのである。
【００１２】
本発明に係る組替え可能なベビーベッドは、以上説明したように、防護柵と、ベッドボードと、足部材と、キャスターとを備えているが、更にすのこを備えている。すのこはベッドボードに載置されるようになっている。かかるすのこは、その上にマットレスやクッション材を載置し、ベビーベッドとして使用するとき、通気性が得られるため、マットレスやクッション材が蒸れない。
【００１３】
ベッドボードの下面には、引き出しを取付けるのが好ましい。例えば、ベッドボードの下面に、その短辺に沿い両端部及び中央部から支持部材を設け、これらの支持部材で挟持されるようにスライドレールを介して引き出しを取付ける。かかる引き出しは、色々な小物を収納しておくのに便利である。
【発明の効果】
【００１４】
本発明に係る組替え可能なベビーベッドには、ハイベビーベッド、ローベビーベッド、大人用の机、子供用の机、ベンチ、ソファー、サークル等、色々な形態に組替えて使用するとき、実用上、使い勝手が誠によいという効果がある。
【図面の簡単な説明】
【００１５】
【図１】本発明に係る組替え可能なベビーベッド（ハイベビーベッド）を例示する斜視図。
【図２】図１のベビーベッド（ハイベビーベッド）を他の形態（ローベビーベッド）に組替えた状態を示す斜視図。
【図３】図１のベビーベッド（ハイベビーベッド）を他の形態（大人用の机）に組替えた状態を示す斜視図。
【図４】図１のベビーベッド（ハイベビーベッド）を他の形態（子供用の机）に組替えた状態を示す斜視図。
【図５】図１のベビーベッド（ハイベビーベッド）を他の形態（サークル）に組替えた状態を示す斜視図。
【図６】図１のベビーベッドにおけるコーナー部の足部材を示す斜視図。
【図７】図６の足部材を示す側面図。
【図８】図１のベビーベッドにおける中間部の足部材を示す斜視図。
【図９】図８の足部材を示す側面図。
【図１０】図１のベビーベッドにおけるキャスターを示す斜視図。
【図１１】図１のベビーベッドにおける防護柵へのベッドボードの取付け状態を示す部分拡大縦断面図。
【図１２】図１のベビーベッドにおけるベッドボードへの引き出しの取付け状態を示す部分拡大縦断面図。
【実施例】
【００１６】
図１に例示した組替え可能なベビーベッド（ハイベビーベッド）は、組立式の防護柵１１と、防護柵１１内に装架されたベッドボード２１と、防護柵１１の下部に取付けられたキャスター３１とを備えている。防護柵１１は組立式になっており、上下の横フレーム１２，１３と、上下の横フレーム１２，１３間に所定間隔で渡された複数の縦フレーム１４と、上側の横フレーム１２，１２相互及び下側の横フレーム１３，１３相互を接続するジョイント１５とを備え、平面から見て長方形に組立てられている。
【００１７】
図１のハイベビーベッドにおいて、ベッドボード２１は防護柵１１内に装架されている。ベッドボード２１は平面から見て長方形の平板状となっており、短辺の端部において防護柵１１の縦フレーム１４に装架されている。具体的には、図１１に示すように、ノブ４１に設けた凹部４２に頭部４３が固定されたボルト４４と、ベッドボード２１の短辺の端部に設けた凹部４５に固定されたナット４６とを備え、ボルト４４の先端部を防護柵の縦フレーム１４に上下方向に所定間隔で開設された孔４７を通してナット４６に螺合し、締め付けることにより、ベッドボード２１を防護柵１１に装架している。
【００１８】
図１のハイベビーベッドは、防護柵１１やベッドボード２１の他に、キャスター３１と足部材５１，５２とを備えている。図１のハイベビーベッドにおいて、コーナー部の足部材５１及び中間部の足部材５２は防護柵１１の下側の横フレーム１３の下部に取外し可能に取付けられており、キャスター３１はかかる足部材５１，５２の下部に取外し可能に取付けられている。具体的には、図６〜図１０に示すように、足部材５１，５２の上部及びキャスター３１の上部に取付け用の主差込部材５１ａ，５２ａ，３１ａが突設されており、また足部材５１，５２の上部には更に位置決め用の副差込部材５１ｂ，５２ｂ，５２ｃが突設されていて、足部材５１，５２の主差込部材５１ａ，５２ａ及び副差込部材５１ｂ，５２ｂ，５２ｃが防護柵１１の下側の横フレーム１３の下部に形成された図示しない穴部に差込まれるようになっており、またキャスター３１の主差込部材３１ａがかかる足部材５１，５２の下部に形成された穴部５１ｄ，５２ｄに差込まれるようになっていると共に、前記した足部材５１，５２の場合と同様に防護柵の下側の横フレーム１３の下部に形成された図示しない穴部にも差込まれるようになっている。
【００１９】
図２は図１のハイベビーベッドから足部材５１，５２を取外した状態のローベビーベッドを示している。図２のローベビーベッドは、図１のハイベビーベッドよりも足部材５１，５２を除いた分だけ高さの低いローベビーベッドとなっている。足部材５１，５２を除き、図１と同じ符号を用いているので、これ以上の説明を省略する。
【００２０】
図３は図１のハイベビーベッドから防護柵１１の前面及びキャスター３１を取外す一方で、ベッドボード２１の装架位置を上方に移動し、かかるベッドボード２１の下面に引き出し６１，６２を取付けた状態の大人用の机を示している。図３の大人用の机は、図１のハイベビーベッドからキャスター３１を取除いているので設置状態が安定し、机板として用いるベッドボード２１を防護柵１１の上部に装架すると共にベッドボード２１の下面に引き出し６１，６２を取付けているので使い勝手のよい大人用の机となっている。キャスター３１を除き、図１と同じ符号を用いているので、これ以上の説明を省略するが、引き出し６１，６２は、図１２に示すように、ベッドボード２１の下面に、その短辺に沿い両端部及び中央部から支持部材６３，６４，６５を垂設し、これらの支持部材６３，６４，６５で挟持されるようにスライドレール６６〜６９を介して取付けられている。
【００２１】
図４は図１のハイベビーベッドから防護柵１１の前面及びキャスター３１を取外した状態の子供用の机を示している。図４の子供用の机は、図１のハイベビーベッドからキャスター３１を取除いているので設置状態が安定し、使い勝手のよい子供用の机となっている。キャスター３１を除き、図１と同じ符号等を用いているので、これ以上の説明を省略するが、図４の子供用の机はそのままベンチとしても使用でき、またベッドボード２１にクッション材を載置することによりソファーとしても使用できる。
【００２２】
図５は図１のハイベビーベッドからベッドボード２１、足部材５１，５２及びキャスター１３を取外した状態の防護柵１１（サークル）を示している。図５のサークルは、図１のハイベビーベッドよりも足部材５１，５２及びキャスター３１を除いた分だけ高さの低い、したがって使い勝手のよいサークルとなっている。ベッドボード２１、足部材５１，５２及びキャスター３１を除き、図１と同じ符号を用いているので、これ以上の説明を省略する。
【００２３】
説明を省略したが、図１のハイベビーベッド及び図２のローベビーベッドでは、ベッドボード２１にすのこ７１が載置されている。すのこ７１は、その上にマットレスやクッション材を載置してベビーベッドとして使用するときに、通気性が得られるため、使い勝手がよい。
【００２４】
図示した組替え可能なベビーベッドは、ハイベビーベッド、ローベビーベッド、大人用の机、子供用の机、ベンチ、ソファー、サークル等、色々な形態に組替えて使用するとき、実用上、使い勝手が誠によいのである。
【符号の説明】
【００２５】
１１                      防護柵
１２                      上側の横フレーム
１３                      下側の横フレーム
１４                      縦フレーム
１５                      ジョイント
２１                      ベッドボード
３１                      キャスター
４１                      ノブ
４４                      ボルト
４６                      ナット
５１，５２                足部材
３１ａ，５１ａ，５２ａ    主差込部材
５１ｂ，５２ｂ，５２ｃ    副差込部材
６１，６２                引き出し
６６〜６９                スライドレール
７１                      すのこ
【手続補正２】
【補正対象書類名】特許請求の範囲
【補正対象項目名】全文
【補正方法】変更
【補正の内容】
【特許請求の範囲】
【請求項１】
組立て式の防護柵と、該防護柵内に装架されたベッドボードと、該防護柵の下部に取付けられたキャスターとを備える組替え可能なベビーベッドであって、更にすのこと足部材を備え、該すのこは該ベッドボードに載置されており、また該防護柵は上下の横フレームと該上下の横フレーム間に所定間隔で渡された複数の縦フレームと該横フレーム相互を接続するジョイントとを備えていて、該足部材は該防護柵の下側の横フレームの下部に取外し可能に取付けられるようになっており、またキャスターは該足部材の下部又は該防護柵の下側の横フレームの下部に取外し可能に取付けられるようになっていて、該足部材の高さ分だけ、また該キャスターの高さ分だけ、更には該足部材及びキャスターの高さ分だけ、設置面から該防護柵の上部までの高さが調節できるようにして成ることを特徴とする組替え可能なベビーベッド。
【請求項２】
足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材が該足部材の下部に形成された穴部又は該防護柵の下側の横フレームの下部に形成された穴部に差込まれるようになっている請求項１記載の組替え可能なベビーベッド。
【請求項３】
ノブに設けた凹部に頭部が固定されたボルトと、ベッドボードの端部に設けた凹部に固定されたナットとを備え、ボルトの先端部を防護柵の上下方向に所定間隔で開設された孔を通してナットに螺合し、締め付けることにより、ベッドボードを防護柵に装架するようにした請求項１又は２記載の組替え可能なベビーベッド。
【請求項４】
ベッドボードの下面に、更に引出しが取付けられた請求項１〜３のいずれか一つの項記載の組替え可能なベビーベッド。
【手続補正書】
【提出日】平成29年2月13日(2017.2.13)
【手続補正１】
【補正対象書類名】明細書
【補正対象項目名】全文
【補正方法】変更
【補正の内容】
【発明の詳細な説明】
【技術分野】
【０００１】
本発明は組替え可能なベビーベッドに関し、更に詳しくは、簡単な作業で、ハイベビーベッド（高さの高いベビーベッド）やローベビーベッド（高さの低いベビーベッド）のようなベビーベッドだけではなく、大人用の机、子供用の机、ベンチ、ソファー、更には防護柵（サークル、プレイペン）等に組替えて使用することができるベビーベッドに関する。
【背景技術】
【０００２】
従来、組替え可能なベビーベッドとして各種が知られている（例えば、特許文献１〜６参照）。これらの組替え可能なベビーベッドは、組立て式の防護柵と、該防護柵内に装架されたベッドボードと、該防護柵の下部に取付けられたキャスターとを備え、ベビーベッドの他に、チャイルドベッド、ミニ机、ベンチ、サークル等に組替えて使用することができるようになっている。
【０００３】
しかし、これら従来の組替え可能なベビーベッドには、組替えて使用することはできるものの、実際のところ、使い勝手が悪いという問題がある。従来の組替え可能なベビーベッドでは、設置面から防護柵の上部までの高さ調節が殆どできないため、ハイベビーベッド、ローベビーベッド、大人用の机、子供用の机、ベンチ、ソファー、サークル等、色々な形態に組替えて使用するときに無理が生じるのである。例えば、ベビーベッドとして使用するときは、安全上、ベッドボードから防護柵の上部までに一定の高さが必要であることに加えて、子供用の机として使用するときと大人用の机として使用するときとは、机の板となるベッドボードの位置はかなり異なるため、そのような位置にベッドボードを装架する防護柵は相応に高さの高いものを用いることになるが、ベッドボードを取外してかかる防護柵をサークルとして使用しようとすると、高さが高過ぎるため、かかる防護柵越しに乳幼児を抱き抱えてサークル内へ入れたり、サークル外へ出したりする作業が誠に厄介なのである。
【先行技術文献】
【特許文献】
【０００４】
【特許文献１】特開平８−２４２９７９号公報
【特許文献２】特開平１１−９４０２号公報
【特許文献３】特開平１１−４２１４８号公報
【特許文献４】特開２００２−１５９３８０号公報
【特許文献５】特開２００４−３３４６２号公報
【特許文献６】特開２０１５−１５９９６３号公報
【発明の概要】
【発明が解決しようとする課題】
【０００５】
本発明が解決しようとする課題は、実用上、使い勝手のよい組替え可能なベビーベッドを提供するところにある。
【課題を解決するための手段】
【０００６】
前記の課題を解決する本発明は、組立て式の防護柵と、該防護柵内に装架されたベッドボードと、該防護柵の下部に取付けられたキャスターとを備える組替え可能なベビーベッドであって、防護柵は上下の横フレームと該上下の横フレーム間に所定間隔で渡された複数の縦フレームと該横フレーム相互を接続するジョイントとを備えていて、更にノブに頭部が固定されたボルトと、ベッドボードの端部に設けた凹部に固定されたナットとを備え、ボルトの先端部を防護柵の上下方向に所定間隔で開設された孔を通してナットに螺合し、締め付けることにより、ベッドボードを防護柵に装架するようになっており、また更にすのこを備え、該すのこは該ベッドボードに載置されていて、ベビーベッドとして使用するときは該すのこにより通気性を得るようにし、また机として使用するときは該すのこを取り除いて該ベッドボードを机板とするようになっており、また更に足部材を備え、足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材が該足部材の下部に形成された穴部又は該防護柵の下側の横フレームの下部に形成された穴部に差込まれるようになっていて、該足部材の高さ分だけ、また該キャスターの高さ分だけ、更には該足部材及びキャスターの高さ分だけ、設置面から該防護柵の上部までの高さが調節できるようにして成ることを特徴とする組替え可能なベビーベッドに係る。
【０００７】
本発明に係る組替え可能なベビーベッドは、組立式の防護柵と、該防護柵内に装架されたベッドボードと、該防護柵の下部に取付けられたキャスターとを備えている。防護柵は組立式になっており、上下の横フレームと、上下の横フレーム間に所定間隔で渡された複数の縦フレームと、横フレーム相互を接続するジョイントとを備え、通常は平面から見て長方形に組立てられている。
【０００８】
ベッドボードは防護柵内に装架されている。ベッドボードは通常、平面から見て長方形の平板状となっており、短辺の端部において防護柵の縦フレームに装架されている。装架手段は、防護柵の縦フレームに取付けられたストッパー部材に載置する手段、引っ掛ける手段、嵌合する手段、ネジ止めする手段等、任意であるが、ネジ止めする手段が好ましい。なかでも、ノブに頭部が固定されたボルトと、ベッドボードの短辺の端部に設けた凹部に固定されたナットとを備え、ボルトの先端部を防護柵の縦フレームに上下方向に所定間隔で開設された孔を通してナットに螺合し、締め付けることにより、ベッドボードを防護柵に装架するようにしたものが好ましい。
【０００９】
本発明に係る組替え可能なベビーベッドは、以上説明したような防護柵やベッドボードの他に、キャスターと足部材とを備えている。足部材は防護柵の下側の横フレームの下部に取外し可能に取付けられており、キャスターはかかる足部材の下部に取外し可能に取付けられているが、足部材を取除いたときは、前記した足部材の場合と同様に、防護柵の下側の横フレームの下部に取外し可能に取付けられるようになっている。
【００１０】
足部材やキャスターの取付け手段は、足部材やキャスターを防護柵の下側の横フレームの下部にクランプ止めする手段、足部材やキャスターから突設された差込部材を防護柵の下側の横フレームの下部に設けられた凹部にネジ止めする手段や差込む手段等、任意であるが、作業の便宜上、差込む手段が好ましい。なかでも、足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材がかかる足部材の下部に形成された穴部に差込まれるようになっていると共に、前記した足部材の場合と同様に、防護柵の下側の横フレームの下部に形成された穴部にも差込まれるようになっているものが好ましい。
【００１１】
本発明に係る組替え可能なベビーベッドは、足部材及びキャスターを備え、それらが取外し可能になっているため、足部材の高さ分だけ、またキャスターの高さ分だけ、更には足部材及びキャスターの高さ分だけ、設置面から防護柵の上部までの高さ調節ができるので、ハイベビーベッド、ローベビーベッド、大人用の机、子供用の机、ベンチ、ソファー、サークル等、色々な形態に組替えて使用するときに無理が生じない。本発明に係る組替え可能なベビーベッドは、実用上、使い勝手が誠によいのである。
【００１２】
本発明に係る組替え可能なベビーベッドは、以上説明したように、防護柵と、ベッドボードと、足部材と、キャスターとを備えているが、更にすのこを備えている。すのこはベッドボードに載置されるようになっている。かかるすのこは、その上にマットレスやクッション材を載置し、ベビーベッドとして使用するとき、通気性が得られるため、マットレスやクッション材が蒸れない。
【００１３】
ベッドボードの下面には、引き出しを取付けるのが好ましい。例えば、ベッドボードの下面に、その短辺に沿い両端部及び中央部から支持部材を設け、これらの支持部材で挟持されるようにスライドレールを介して引き出しを取付ける。かかる引き出しは、色々な小物を収納しておくのに便利である。
【発明の効果】
【００１４】
本発明に係る組替え可能なベビーベッドには、ハイベビーベッド、ローベビーベッド、大人用の机、子供用の机、ベンチ、ソファー、サークル等、色々な形態に組替えて使用するとき、実用上、使い勝手が誠によいという効果がある。
【図面の簡単な説明】
【００１５】
【図１】本発明に係る組替え可能なベビーベッド（ハイベビーベッド）を例示する斜視図。
【図２】図１のベビーベッド（ハイベビーベッド）を他の形態（ローベビーベッド）に組替えた状態を示す斜視図。
【図３】図１のベビーベッド（ハイベビーベッド）を他の形態（大人用の机）に組替えた状態を示す斜視図。
【図４】図１のベビーベッド（ハイベビーベッド）を他の形態（子供用の机）に組替えた状態を示す斜視図。
【図５】図１のベビーベッド（ハイベビーベッド）を他の形態（サークル）に組替えた状態を示す斜視図。
【図６】図１のベビーベッドにおけるコーナー部の足部材を示す斜視図。
【図７】図６の足部材を示す側面図。
【図８】図１のベビーベッドにおける中間部の足部材を示す斜視図。
【図９】図８の足部材を示す側面図。
【図１０】図１のベビーベッドにおけるキャスターを示す斜視図。
【図１１】図１のベビーベッドにおける防護柵へのベッドボードの取付け状態を示す部分拡大縦断面図。
【図１２】図１のベビーベッドにおけるベッドボードへの引き出しの取付け状態を示す部分拡大縦断面図。
【実施例】
【００１６】
図１に例示した組替え可能なベビーベッド（ハイベビーベッド）は、組立式の防護柵１１と、防護柵１１内に装架されたベッドボード２１と、防護柵１１の下部に取付けられたキャスター３１とを備えている。防護柵１１は組立式になっており、上下の横フレーム１２，１３と、上下の横フレーム１２，１３間に所定間隔で渡された複数の縦フレーム１４と、上側の横フレーム１２，１２相互及び下側の横フレーム１３，１３相互を接続するジョイント１５とを備え、平面から見て長方形に組立てられている。
【００１７】
図１のハイベビーベッドにおいて、ベッドボード２１は防護柵１１内に装架されている。ベッドボード２１は平面から見て長方形の平板状となっており、短辺の端部において防護柵１１の縦フレーム１４に装架されている。具体的には、図１１に示すように、ノブ４１に設けた凹部４２に頭部４３が固定されたボルト４４と、ベッドボード２１の短辺の端部に設けた凹部４５に固定されたナット４６とを備え、ボルト４４の先端部を防護柵の縦フレーム１４に上下方向に所定間隔で開設された孔４７を通してナット４６に螺合し、締め付けることにより、ベッドボード２１を防護柵１１に装架している。
【００１８】
図１のハイベビーベッドは、防護柵１１やベッドボード２１の他に、キャスター３１と足部材５１，５２とを備えている。図１のハイベビーベッドにおいて、コーナー部の足部材５１及び中間部の足部材５２は防護柵１１の下側の横フレーム１３の下部に取外し可能に取付けられており、キャスター３１はかかる足部材５１，５２の下部に取外し可能に取付けられている。具体的には、図６〜図１０に示すように、足部材５１，５２の上部及びキャスター３１の上部に取付け用の主差込部材５１ａ，５２ａ，３１ａが突設されており、また足部材５１，５２の上部には更に位置決め用の副差込部材５１ｂ，５２ｂ，５２ｃが突設されていて、足部材５１，５２の主差込部材５１ａ，５２ａ及び副差込部材５１ｂ，５２ｂ，５２ｃが防護柵１１の下側の横フレーム１３の下部に形成された図示しない穴部に差込まれるようになっており、またキャスター３１の主差込部材３１ａがかかる足部材５１，５２の下部に形成された穴部５１ｄ，５２ｄに差込まれるようになっていると共に、前記した足部材５１，５２の場合と同様に防護柵の下側の横フレーム１３の下部に形成された図示しない穴部にも差込まれるようになっている。
【００１９】
図２は図１のハイベビーベッドから足部材５１，５２を取外した状態のローベビーベッドを示している。図２のローベビーベッドは、図１のハイベビーベッドよりも足部材５１，５２を除いた分だけ高さの低いローベビーベッドとなっている。足部材５１，５２を除き、図１と同じ符号を用いているので、これ以上の説明を省略する。
【００２０】
図３は図１のハイベビーベッドから防護柵１１の前面及びキャスター３１を取外す一方で、ベッドボード２１の装架位置を上方に移動し、かかるベッドボード２１の下面に引き出し６１，６２を取付けた状態の大人用の机を示している。図３の大人用の机は、図１のハイベビーベッドからキャスター３１を取除いているので設置状態が安定し、机板として用いるベッドボード２１を防護柵１１の上部に装架すると共にベッドボード２１の下面に引き出し６１，６２を取付けているので使い勝手のよい大人用の机となっている。キャスター３１を除き、図１と同じ符号を用いているので、これ以上の説明を省略するが、引き出し６１，６２は、図１２に示すように、ベッドボード２１の下面に、その短辺に沿い両端部及び中央部から支持部材６３，６４，６５を垂設し、これらの支持部材６３，６４，６５で挟持されるようにスライドレール６６〜６９を介して取付けられている。
【００２１】
図４は図１のハイベビーベッドから防護柵１１の前面及びキャスター３１を取外した状態の子供用の机を示している。図４の子供用の机は、図１のハイベビーベッドからキャスター３１を取除いているので設置状態が安定し、使い勝手のよい子供用の机となっている。キャスター３１を除き、図１と同じ符号等を用いているので、これ以上の説明を省略するが、図４の子供用の机はそのままベンチとしても使用でき、またベッドボード２１にクッション材を載置することによりソファーとしても使用できる。
【００２２】
図５は図１のハイベビーベッドからベッドボード２１、足部材５１，５２及びキャスター１３を取外した状態の防護柵１１（サークル）を示している。図５のサークルは、図１のハイベビーベッドよりも足部材５１，５２及びキャスター３１を除いた分だけ高さの低い、したがって使い勝手のよいサークルとなっている。ベッドボード２１、足部材５１，５２及びキャスター３１を除き、図１と同じ符号を用いているので、これ以上の説明を省略する。
【００２３】
説明を省略したが、図１のハイベビーベッド及び図２のローベビーベッドでは、ベッドボード２１にすのこ７１が載置されている。すのこ７１は、その上にマットレスやクッション材を載置してベビーベッドとして使用するときに、通気性が得られるため、使い勝手がよい。
【００２４】
図示した組替え可能なベビーベッドは、ハイベビーベッド、ローベビーベッド、大人用の机、子供用の机、ベンチ、ソファー、サークル等、色々な形態に組替えて使用するとき、実用上、使い勝手が誠によいのである。
【符号の説明】
【００２５】
１１                      防護柵
１２                      上側の横フレーム
１３                      下側の横フレーム
１４                      縦フレーム
１５                      ジョイント
２１                      ベッドボード
３１                      キャスター
４１                      ノブ
４４                      ボルト
４６                      ナット
５１，５２                足部材
３１ａ，５１ａ，５２ａ    主差込部材
５１ｂ，５２ｂ，５２ｃ    副差込部材
６１，６２                引き出し
６６〜６９                スライドレール
７１                      すのこ
【手続補正２】
【補正対象書類名】特許請求の範囲
【補正対象項目名】全文
【補正方法】変更
【補正の内容】
【特許請求の範囲】
【請求項１】
組立て式の防護柵と、該防護柵内に装架されたベッドボードと、該防護柵の下部に取付けられたキャスターとを備える組替え可能なベビーベッドであって、防護柵は上下の横フレームと該上下の横フレーム間に所定間隔で渡された複数の縦フレームと該横フレーム相互を接続するジョイントとを備えていて、更にノブに頭部が固定されたボルトと、ベッドボードの端部に設けた凹部に固定されたナットとを備え、ボルトの先端部を防護柵の上下方向に所定間隔で開設された孔を通してナットに螺合し、締め付けることにより、ベッドボードを防護柵に装架するようになっており、また更にすのこを備え、該すのこは該ベッドボードに載置されていて、ベビーベッドとして使用するときは該すのこにより通気性を得るようにし、また机として使用するときは該すのこを取り除いて該ベッドボードを机板とするようになっており、また更に足部材を備え、足部材の上部及びキャスターの上部に取付け用の主差込部材が突設されており、また該足部材の上部には更に位置決め用の副差込部材が突設されていて、足部材の主差込部材及び副差込部材が防護柵の下側の横フレームの下部に形成された穴部に差込まれるようになっており、またキャスターの主差込部材が該足部材の下部に形成された穴部又は該防護柵の下側の横フレームの下部に形成された穴部に差込まれるようになっていて、該足部材の高さ分だけ、また該キャスターの高さ分だけ、更には該足部材及びキャスターの高さ分だけ、設置面から該防護柵の上部までの高さが調節できるようにして成ることを特徴とする組替え可能なベビーベッド。
【請求項２】
ベッドボードの下面に、更に引出しが取付けられた請求項１記載の組替え可能なベビーベッド。
【国際調査報告】
2017163330.tif 000015
2017163330.tif 000016
2017163330.tif 000017
2017163330.tif 000018